(57)【要約】      （修正有）【課題】シンクロ端子のみを他の会社のストロボと共通化してフラッシング出来るようにする。【解決手段】ホットシューに挿入可能で接着し前記底部のシンクロ端子の箇所を開口しカメラ端子を塞いだ電気的絶縁シートからなり前記シンクロ端子とストロボその他の外部機器の端子とが電気的に導通しその他のカメラ端子と前記ストロボのシンクロ端子に対応する以外の端子とを電気的に非導通としたホットシュー絶縁シートを実現する。又、該ホットシュー絶縁シートは複数個を台紙に貼り各々は単独に前記台紙から剥がせるようにしてホットシュー絶縁シート板を形成することで、何枚ものホットシュー絶縁シートが得られホットシュー絶縁シート自体を交換できいつも新しいホットシュー絶縁シートが利用出来る。【選択図】図３
2009031394.tif 000002
【特許請求の範囲】
【請求項１】
被写体の撮影が可能で且つ携帯できる程度の大きさのカメラ本体と、このカメラ本体の上面に立設され、ストロボその他の外部機器のシュークリップが挿入取り付けられるホットシューと、該ホットシューの底部に露呈して設けられたシンクロ端子及びカメラ端子と、前記ホットシューに挿入可能で接着し前記底部のシンクロ端子の箇所を開口しカメラ端子を塞いだ電気的絶縁シートからなり、前記シンクロ端子とストロボその他の外部機器の端子とが電気的に導通しその他のカメラ端子と前記ストロボのシンクロ端子に対応する以外の端子とを電気的に非導通にしたことを特徴とするホットシュー絶縁シート。
【請求項２】
台紙に接着面（層）を備える上紙板を重合配設するとともに、複数の絶縁シート用の切り離し用ミシン目を配設し、かつ各ミシン目内の所要位置にシンクロ端子用開口部を開口し、前記台紙より前記各ミシン目を介して、各上紙部分を切り離すことにより複数のホットシュー絶縁シートを取り出すことができるように構成したことを特徴とするホットシュー絶縁シート板。
【発明の詳細な説明】
【技術分野】
【０００１】
本発明は、被写体撮影が出来る主に携帯できるカメラのホットシュー絶縁シート及びホットシュー絶縁シート板に関するものである。
【背景技術】
【０００２】
従来、被写体撮影が出来る主に携帯できるカメラにはカメラに機能を補充する機器、主にストロボを装着するホットシューが設けられていてカメラ撮影者の要望を満たしている。
しかし、カメラ撮影者はしばしばこのホットシューを利用して他のカメラメーカーのストロボを使用したいと思うが、ホットシューにはシンクロ端子とカメラ端子などが各社の仕様で構成されているために異なるメーカのストロボはこれに一致しないために互換ができなかった。特に単にフラッシュのみの場合に他のメーカのストロボを使いたいとする要望が多くある。
【０００３】
特許文献１では、外付けストロボを使用して撮影を行う場合に、内蔵ストロボも同時に発光してしまと適正露光が得られないので、これを改善するためにカメラのホットシューを利用したものである。これはホットシュー２に装着した状態において、ポップアップする内蔵ストロボ３と当接して、ポップアップを阻止するフイン１５をホットシューアダプター１０に設けるようにしたものであって、ホットシューは利用しているが他社のストロボのホットシューを利用してフラッシングさせることを考慮していない。
【特許文献１】特開平９−２１８４４１号公報
【発明の開示】
【発明が解決しようとする課題】
【０００４】
本発明のホットシュー絶縁シートは被写体の撮影が可能で且つ携帯できる程度の大きさのカメラ本体が装備するホットシューを利用して、このホットシューのシンクロ端子にストロボの端子を電気的に導通接続でき、その他のカメラ端子はストロボのカメラ端子に該当する以外の端子と非導通に成るようなホットシュー絶縁シートを実現することで、他のメーカのストロボでもカメラによってフラッシュ出来る利便性を高める点にある。又、ホットシュー絶縁シートを必要に応じて簡単に得られるようにホットシュー絶縁シート板本体を構成し、該ホットシュー絶縁シート板本体からいくつも切り取って得られるようにした点にある。
【課題を解決するための手段】
【０００５】
本発明は被写体の撮影が可能で且つ携帯できる程度の大きさのカメラ本体と、このカメラ本体の上面に立設され、ストロボその他の外部機器のシュークリップが挿入取り付けられるホットシューと、該ホットシューの底部に露呈して設けられたシンクロ端子及びカメラ端子と、前記ホットシューに挿入可能で接着し前記底部のシンクロ端子の箇所を開口しカメラ端子を塞いだ電気的絶縁シートからなり、前記シンクロ端子とストロボその他の外部機器の端子とが電気的に導通しその他のカメラ端子と前記ストロボのシンクロ端子に対応する以外の端子とを電気的に非導通にしたことを特徴とするホットシュー絶縁シートを
提供することでシンクロ端子のみを他の会社のストロボと共通化してフラッシング出来るようにし利便性を高めている。
【０００６】
又、本発明はホットシュー絶縁シート板であって、複数個のホットシュー絶縁シートを台紙に貼り各々は単独に前記台紙から剥がせるようにしてホットシュー絶縁シート板を形成することで、何枚ものホットシュー絶縁シートが得られホットシュー絶縁シート自体を交換できいつも新しいホットシュー絶縁シートが利用出来る。
【発明の効果】
【０００７】
請求項１記載の発明によれば、ホットシュー絶縁シートは一方の面が粘着性が有るため確実にホットシューの底部に接着でき従って位置ずれも無いもので、他社のストロボもシンクロ端子が導通するので交換利用出来る効果がある。
【０００８】
請求項２記載の発明によれば、いくつものホットシュー絶縁シートを得られるホットシュー絶縁シート板であるから、ここからホットシュー絶縁シートを剥ぎ取って使用中のホットシュー絶縁シートと交換でき、常に新しいホットシュー絶縁シートが使用できるが効果がある。
【発明を実施するための最良の形態】
【０００９】
本発明は、他社のストロボも利用したい要望に対しカメラのホットシューに着目し、被写体の撮影が可能で且つ携帯できる程度の大きさのカメラ本体の上面にあるホットシューのカメラ端子をストロボのカメラ端子に対応する以外の電気端子と非導通にする絶縁シートを用いることで実現した。
又、本発明は幾つものホットシュー絶縁シートをホットシュー絶縁シート板上に構成し、これを提供することで、利用者はここからホットシュー絶縁シートを剥ぎ取って常に新しいホットシュー絶縁シートが利用できることを実現した。
【実施例】
【００１０】
以下に、本発明の実施例に係るホットシュー絶縁シートは図１乃至図３を参照し、本発明の他の実施例に係わるホットシュー絶縁シート板は図４及び図５を参照して詳細に説明する。
【００１１】
図１乃至図３において２１はカメラ本体で、該カメラ本体２１の上には所謂外付けのストロボ本体３２のシュークリップ２３が強制的に挿入され、シューリング２７で前記シュークリップ２３と締め付けられるホットシュー２４が配置されている。このホットシュー２４の内側にはストロボ本体３２の前記シュークリップ２３の裏部に設けられた端子に電気的に導通するシンクロ端子２５及びカメラ端子２６が頭部を上方に露出して設けられている。
【００１２】
この場合、シンクロ端子２５は規格によって大きさ、位置が特定されている、また、これ以外のカメラ端子２６は通常シンクロ端子２５より小さく、位置的に離れている。２８はホットシュー絶縁シートで、このホットシュー絶縁シート２８は図２に示すように接着面（接着層・ホットシュー２４の面に接着できるように形成されている）２９と上紙（電気絶縁材料から成るシートにて形成されている）３０から構成されている。図２は図１の矢印Ａ方向から見た図であり、図１はホットシュー絶縁シート２８をホットシュー２４の上部に貼って上方から見た図である。
【００１３】
このホットシュー絶縁シート２８にはシンクロ端子２５の位置に合致する寸法で開口３１が開けられホットシュー２４のシンクロ端子２５が現れるようになっている。尚ホットシュー絶縁シート２８の点々は接着面を表しているものである。
【００１４】
次に、ホットシュー絶縁シート２８をホットシュー２４に貼り、他社のストロボ本体３２を取付つける場合は、ホットシュー絶縁シート２８の接着面２９をホットシュー２４側にして、開口３１とシンクロ端子２５とをシンクロ端子２５が現れるように位置的に一致させ貼り合わせる。この場合ホットシュー絶縁シート２８は透明で有ってもよい。
【００１５】
これによって、カメラ端子２６はホットシュー絶縁シート２８で電気的に絶縁されるから、これに図示矢印Ｃ方向からストロボ本体３２のシュークリップ２３をホットシュー２４に挿入しシューリング２７で締め付け固定する。これによって、シンクロ端子２５にはストロボ本体３２の前記シンクロ端子２５に対応する端子のみ導通し従って他社のストロボ本体３２でもフラッシュすることが出来る。
【００１６】
図４及び図５において、両図はホットシュー絶縁シート板４３を示し、４２は台紙で、この台紙４２上に接着面（層）２９を有する上紙板３０を重合配設しホットシュー絶縁シート板４３を構成している。
また、上紙板３０にはホットシュー２４の部分の形状に対応した形状のミシン目３３を複数個配設するとともに各ミシン目３３内の所要位置にはホットシュー２４のシンクロ端子２５を露出する開口３１を設けることにより形成する。
図５は図４の矢印Ｂ方向から見たものである。而して前記ホットシュー絶縁シート２８を得る場合は、予めホットシュー絶縁シート２８の長方形の辺にミシン目３３を入れて加工作成してあるので、このミシン目３３を介して一個一個のホットシュー絶縁シート２８を台紙４２より切り離して利用するものである。
【００１７】
尚、実施例ではホットシュー絶縁シート２８の形状を長方形で説明したがカメラ本体２１のホットシュー２４の底部に合致出来る形状で有れば形状は限定されないものである。
【産業上の利用可能性】
【００１８】
本発明のホットシュー絶縁シート及びホットシュー絶縁シート板は異なるメーカのストロボを利用する場合に大いに利便性があり有効であって支障も生じないものである。
【図面の簡単な説明】
【００１９】
【図１】本発明の実施例を説明するためのホットシュー絶縁シートの概略平面図。
【図２】図１の矢印Ａ方向から見た図である。
【図３】本発明の実施例を説明する斜視図である。
【図４】本発明の本実施例を説明するホットシュー絶縁シート版の平面図である。
【図５】図４の矢印Ｂ方向から見た側面図である。
【図６】従来のカメラの正面図である。
【符号の説明】
【００２０】
２１    カメラ本体
２３    シュークリップ
２４    ホットシュー
２５    シンクロ端子
２６    カメラ端子
２７    シューリング
２８    ホットシュー絶縁シート
２９    接着面
３０    上紙
３１    開口
３２    ストロボ本体
３３    ミシン目
４２    台紙
４３    ホットシュー絶縁シート板
【図１】
2009031394.tif 000003
【図２】
2009031394.tif 000004
【図３】
2009031394.tif 000005
【図４】
2009031394.tif 000006
【図５】
2009031394.tif 000007
【図６】
2009031394.tif 000008